(57)【特許請求の範囲】
【請求項１】
箱状に構成されて内部に収納部が形成された筐体と、当該筐体の前面側に取り付けられた扉とを備えた保管庫であって、
前記筐体における一の壁の内側に当該一の壁に対して平行に配置されて当該一の壁を含む前記筐体の一部と相俟って空間部を形成すると共に前記扉を含む当該筐体の一部と相俟って前記収納部を形成する区画壁と、前記空間部における前記区画壁の一辺側に形成された連通口から当該空間部内に空気を送り込む送風機構と、前記空間部内において前記空気の送り込み方向に平行状態で並設され前記送風機構によって送り込まれた前記空気を整流する複数の第１整流板とを備え、前記区画壁には、前記空気の送り込み方向に対して直交する向きに沿って切り欠かれると共に前記空間部と前記収納部とを連通させて前記送り込まれた空気を吹き出す吹出口が互いに離間して複数形成されていることを特徴とする保管庫。
【請求項２】
前記送風機構は、前記一の壁に対向する他の壁側に配置された送風機と、当該送風機の送風口と前記空間部における前記連通口とを連通させると共にその断面積が当該送風機側から当該連通口に向かうに従って次第に増加する誘導路と、当該誘導路における前記送風機近傍に並設されて当該送風機によって送出された空気を前記連通口に向けて拡散させる複数の拡散板と、前記誘導路の前記連通口近傍において前記空気の送り込み方向に対して平行状態で並設されると共に前記送出された空気を整流する複数の第２整流板とを備えていることを特徴とする請求項１記載の保管庫。
【請求項３】
前記収納部は、前記空気の送り込み方向に直交する方向に沿って分割された複数の副収納部を備えて構成され、
前記吹出口は、前記副収納部毎に形成され、
前記第１整流板は、前記各吹出口の上流側にそれぞれ配置されていることを特徴とする請求項１または２記載の保管庫。
【請求項４】
前記吹出口における前記収納部側の口縁に、ルーバーが配設されていることを特徴とする請求項１から３のいずれかに記載の保管庫。
【発明の詳細な説明】
【０００１】
【発明の属する技術分野】
本発明は、箱状に構成されて内部に収納部が形成されると共に収納部を開閉するための扉が前面側に配置された保管庫に関するものである。
【０００２】
【従来の技術】
この種の保管庫として、特開平９−２３９０１８号公報に示す保管庫（ロッカー）が知られている。このロッカー（１）は、背板（１ｂ）の内側に配設された後面板（７）を備えると共に、この後面板（７）と背板（１ｂ）との間に形成された所定空間Ｓを背部に備えている。また、後面板（７）には、空気の吹出口（９）が複数形成されている。また、ロッカー（１）の内部上部には、モータ（１３）、ファン（１４）、および第１気流ダクト（１０）が配置されている。この場合、第１気流ダクト（１０）は、背部に向かうに従って断面積が増加するようにテーパ状に形成され、連通口（１７）を介して所定空間Ｓの上部に連通する。
また、所定空間Ｓの水平断面積は、連通口（１７）の断面積に対して３〜５倍以上に設定されている。したがって、モータ（１３）で駆動されたファン（１４）によって送出された空気は、その流速が第１気流ダクト（１０）を通過する際に次第に低下し、さらに、連通口（１７）から所定空間Ｓに流入した際には、チャンバー効果により急速に低下する。このため、所定空間Ｓ内の圧力がほぼ均一となり、後面板（７）に形成されたそれぞれの吹出口（９）から、ほぼ同量の空気が収納部（２）内に吹き出される。この結果、ロッカー（１）では、収納部（２）の全体に亘って空気が均一に供給される。
【０００３】
【発明が解決しようとする課題】
ところが、この従来の保管庫には、以下の問題点がある。すなわち、チャンバー効果を維持するためには、所定空間Ｓ内での空気の流速を非常に低速にし、かつ各吹出口の開口面積を小さくする必要がある。したがって、各吹出口から収納部内に吹き出される空気の量が少量となるため、従来の保管庫には、収納部に十分な量の空気を供給することができないという問題点がある。また、これに起因して、収納部に収納された被保管物を十分に乾燥させるのが困難であるという問題点もある。
【０００４】
本発明は、かかる問題点に鑑みてなされたものであり、収納部内に十分かつ均一に空気を供給し得る保管庫を提供することを主目的とする。
【０００５】
【課題を解決するための手段】
上記目的を達成すべく請求項１記載の保管庫は、箱状に構成されて内部に収納部が形成された筐体と、当該筐体の前面側に取り付けられた扉とを備えた収納庫であって、前記筐体における一の壁の内側に当該一の壁に対して平行に配置されて当該一の壁を含む前記筐体の一部と相俟って空間部を形成すると共に前記扉を含む当該筐体の一部と相俟って前記収納部を形成する区画壁と、前記空間部における前記区画壁の一辺側に形成された連通口から当該空間部内に空気を送り込む送風機構と、前記空間部内において前記空気の送り込み方向に平行状態で並設され前記送風機構によって送り込まれた前記空気を整流する複数の第１整流板とを備え、前記区画壁には、前記空気の送り込み方向に対して直交する向きに沿って切り欠かれると共に前記空間部と前記収納部とを連通させて前記送り込まれた空気を吹き出す吹出口が互いに離間して複数形成されていることを特徴とする。
【０００６】
請求項２記載の保管庫は、請求項１記載の保管庫において、前記送風機構は、前記一の壁に対向する他の壁側に配置された送風機と、当該送風機の送風口と前記空間部における前記連通口とを連通させると共にその断面積が当該送風機側から当該連通口に向かうに従って次第に増加する誘導路と、当該誘導路における前記送風機近傍に並設されて当該送風機によって送出された空気を前記連通口に向けて拡散させる複数の拡散板と、前記誘導路の前記連通口近傍において前記空気の送り込み方向に対して平行状態で並設されると共に前記送出された空気を整流する複数の第２整流板とを備えていることを特徴とする。
【０００７】
請求項３記載の保管庫は、請求項１または２記載の保管庫において、前記収納部は、前記空気の送り込み方向に直交する方向に沿って分割された複数の副収納部を備えて構成され、前記吹出口は、前記副収納部毎に形成され、前記第１整流板は、前記各吹出口の上流側にそれぞれ配置されていることを特徴とする。
【０００８】
請求項４記載の保管庫は、請求項１から３のいずれかに記載の保管庫において、前記吹出口における前記収納部側の口縁に、ルーバーが配設されていることを特徴とする。
【０００９】
【発明の実施の形態】
以下、添付図面を参照して、本発明に係る保管庫の好適な実施の形態について説明する。
【００１０】
最初に、保管庫１の構成について、図１を参照して説明する。
【００１１】
保管庫１は、例えば、靴や衣類等を保管するロッカー、または薬品等を保管する保管庫などとして使用可能に構成されている。具体的には、保管庫１は、筐体２、複数（一例として３つ）の扉３，３，３、本発明における区画壁に相当する第１区画壁４、第２区画壁５、複数（一例として２つ）の棚板６，６、複数の第１整流板７，７・・、および送風機構８を備え、送風機構８によって保管庫１の内部に空気を強制的に供給可能に構成されている。
【００１２】
筐体２は、金属材（スチール等）を用いて箱状（例えば直方体）に形成されている。第１区画壁４は、筐体２を構成する後壁（一の壁）２ａに対して平行で、かつ離間した状態で後壁２ａの内側に配置されている。第２区画壁５は、筐体２を構成する上部壁２ｂに対して平行で、かつ離間した状態で上部壁２ｂの内側に配置されている。この場合、筐体２の内部空間は、第１区画壁４および第２区画壁５によって、第１収納部（収納部）９、第２収納部１０、および空間部１１の３つの領域に区画されている。具体的には、第１収納部９は、筐体２の一部（扉３，３，３、一対の側壁２ｃ，２ｄ、前壁２ｅ、下部壁２ｆ、第２区画壁５）と第１区画壁４とで囲われて形成されている。さらに、第１収納部９は、２つの棚板６によって３つの副収納部９ａ，９ａ，９ａに区画されている。第２収納部１０は、筐体２の一対の側壁２ｃ，２ｄ、前壁２ｅ、上部壁２ｂ、後壁２ａおよび第２区画壁５で囲われて形成されている。空間部１１は、筐体２の一部（後壁２ａ、一対の側壁２ｃ，２ｄ、下部壁２ｆ）と第１区画壁４とで囲われて形成されている。また、空間部１１は、その水平方向の断面形状が長方形に形成され、第１収納部９と同じ高さで形成されている。さらに、空間部１１は、第１区画壁４の上辺側（一辺側）において第２収納部１０と連通する。この場合、第２収納部１０と連通する空間部１１の上部が、空間部１１と第２収納部１０とを連通させる連通口１１ａとして機能する。このため、連通口１１ａの断面積は、空間部１１の水平方向における断面積に一致する。
【００１３】
第１区画壁４には、空気の送り込み方向（上下方向）に対して直交する向き（第１区画壁４の長辺方向）に沿って切り欠かれて空間部１１と各副収納部９ａとを連通させる吹出口１２が、各副収納部９ａ毎に同じ数ずつ（一例として１つずつ）形成されている。この場合、各吹出口１２は、一例として、図６に示すように長方形に形成され、各副収納部９ａの上部領域に設けられている。
【００１４】
各扉３は、筐体２の前壁２ｅに開閉自在に取り付けられ、各副収納部９ａ毎に１つ設けられている。また、各扉３には、例えば、その下部側に長方形の排出口１３が形成されている。第１整流板７は、図１，３，４に示すように、空気の送り込み方向（第１区画壁４の長辺方向）に平行状態で、かつ等間隔で空間部１１内に並設されている。この場合、第１整流板７は、空間部１１内に送り込まれる空気を整流する。具体的には、第１整流板７は、空気の送り込まれる向きを第１区画壁４の長辺方向に揃え、かつ上下方向（第１区画壁４の長辺方向）において同じ高さの位置での空気の流速を等しくする（均一化）機能を有する。また、第１整流板７は、各吹出口１２近傍の上流側にそれぞれ配置されている。
【００１５】
送風機構８は、図１，２に示すように、送風機１４、誘導路１５、複数の拡散板１６，１６・・、および複数の第２整流板１７，１７・・を備えている。この場合、送風機１４は、筐体２の外部から第２収納部１０内に空気を取り込む機能を有し、第２収納部１０を構成する前壁（一の壁に対向する他の壁に相当する）２ｅの中央部に配置されている。誘導路１５は、第２収納部１０内に配置された一対の仕切板１８，１８、筐体２の上部壁２ｂ、および第２区画壁５で囲われることによって第２収納部１０内に形成され、送風機１４の送風口と空間部１１における連通口１１ａとを連通させる。誘導路１５は、一対の仕切板１８，１８が送風機１４を頂点とした二等辺三角形における各等辺の位置にそれぞれ配置されて形成され、筐体２の後壁２ａと平行な平面で切断したときの断面積が送風機１４側から連通口１１ａ側に向かうに従って次第に増加するように構成されている。拡散板１６は、誘導路１５における送風機１４の近傍に放射状に並設され、送風機１４によって送出された空気を連通口１１ａに向けて均一となるように拡散させる。また、各第２整流板１７の上辺には、図３に示すように、断面円弧状のコーナーカバー１９が設置されている。この場合、コーナーカバー１９は、誘導路１５から、誘導路１５に直交する空間部１１に空気をスムーズに送り込む。
【００１６】
第２整流板１７は、誘導路１５における連通口１１ａの近傍において、空気の送り込み方向に対して平行状態で、かつ等間隔で並設され、送風機１４によって送出された空気の流れを平行に整流すると共に、連通口１１ａの長手方向における各位置での空気の流速を均一化する。具体的には、第２整流板１７は、図３に示すように、側面視形状（平面形状）が略Ｌ字状に形成された板体で構成され、誘導路１５における連通口１１ａの近傍領域から空間部１１における連通口１１ａの近傍領域に亘って空気を整流する。この場合、第２整流板１７における空間部１１内に位置する部位が、本発明における第１整流板としても機能する。
【００１７】
次に、保管庫１における第１収納部９内への空気の供給動作について、図面を参照して説明する。
【００１８】
図外の電源スイッチが投入された際に、送風機１４が起動させられて、保管庫１の外部から誘導路１５内に空気が取り込まれる。この際に、複数の拡散板１６が、取り込まれた空気を背面側の連通口１１ａにおける長手方向全体に均一に行き渡るように拡散する。この後、拡散板１６によって拡散された空気は、拡散板１６と第２整流板１７との間の非整流領域において相互に干渉し合うことによって流速がほぼ均一化されて第２整流板１７に到達する。次いで、第２整流板１７は、均一に拡散されて全域に亘ってほぼ等しい流速となった空気に対して、その向きを連通口１１ａに直交する方向に整流する。次に、整流された空気は、コーナーカバー１９によって整流状態が維持されつつ、その送り込み方向が９０度曲げられて連通口１１ａを介して空間部１１内に送り込まれる。一方、空間部１１内では、各吹出口１２の上流側に配置された各第１整流板７が、送り込まれた空気を空間部１１全域に亘って整流した状態を維持する。この場合、空間部１１は、送り込まれ端部側（下端側）が閉塞されて構成されている。このため、送り込まれた空気の流速は、連通口１１ａ側で速く、連通口１１ａから離間するに従って次第に遅くなる。一方、送り込まれた空気は、連通口１１ａ側が低圧で、連通口１１ａから離間するに従って次第に高圧となる。したがって、第１整流板７は、空間部１１内において、送り込まれた空気の流速分布および圧力分布を安定して上記の状態に維持する。
【００１９】
この場合、連通口１１ａ側の吹出口１２における空気の吹出量は、主として、この速い流速に起因して決定され、その一方、連通口１１ａから離間した吹出口１２における空気の吹出量は、主として、高い流体圧力に起因して決定される。
したがって、連通口１１ａからの離間距離に拘わらず、いずれの吹出口１２における吹出量もほぼ同量になる。また、連通口１１ａから空間部１１内に供給された空気は、第１整流板７によって整流されて吹出口１２の開口幅方向に対して均一化されている。このため、各吹出口１２を介して、吹出口１２の全域に亘ってほぼ均一な空気が各副収納部９ａに吹き出される。この結果、各副収納部９ａの幅方向全体にムラなく空気が供給される。この後、各副収納部９ａ内に送り込まれた空気は、第１区画壁４の正面に位置する各扉３に形成された排出口１３を介して筐体２の外部に排出される。
【００２０】
このように、保管庫１では、従来の保管庫とは異なり、チャンバー効果を利用せずに各副収納部９ａに空気を均一的に送り込むことができる。このため、空間部１１内に大量の空気を一時に供給することができる結果、各副収納部９ａにも大量の空気を供給することができる。また、第１整流板７によって空間部１１内の圧力分布や流速分布を安定的に一定状態に維持することができるため、連通口１１ａからの距離に拘わらず、いずれの吹出口１２における吹出量もほぼ同量に均一化することができる。また、この保管庫１では、各吹出口１２毎にその上流側に第１整流板７が配置されているため、いずれの吹出口１２においてもその全域に亘って空気の流速が均一化される。したがって、各吹出口１２の全域に亘ってほぼ均一に空気を各副収納部９ａ内に吹き出させることができる。同時に、この保管庫１によれば、各副収納部９ａの内部全体に亘って空気が送り込まれるため、各副収納部９ａの内部を脱臭できると共に内部の被保管物を効率よく乾燥させることができる。
【００２１】
なお、本発明は、上記した発明の実施の形態に限定されない。例えば、上述した実施の形態における保管庫１では、筐体２の後壁２ａ側に空間部１１を配置した構成を採用しているが、一対の側壁２ｃ，２ｄの内の一方（この場合、本発明における一の壁を構成する）の内側に第１区画壁４を平行に配置し、この一方の側壁との間に空間部１１を形成させることもできる。また、送風機構８を第１収納部９の下部に配置し、かつ連通口１１ａを空間部１１の下端側に設け、空間部１１内において空気が下方から上方に向かうように送り込む構成を採用することもできる。また、図５に示すよに、副収納部９ａ側に向けてルーバー１２ａを各吹出口１２に延設することもできる。この構成を採用した場合、空間部１１から各副収納部９ａ内への空気の吹出し方向を制御することができる。
【００２２】
また、各吹出口１２の構成に代えて、図７に示すように、長方形の小孔３２ａを第１区画壁４の短辺方向に複数並設して一つの吹出口３２として構成することもできる。さらに、図８に示すように、円形の小孔４２ａを第１区画壁４の短辺方向に複数並設して一つの吹出口４２として構成することもできる。なお、小孔４２ａを１列または３列以上に配列する構成を採用することもできる。また、空間部１１の横幅が長い場合、すなわち筐体２の横幅が長い場合、一つの送風機１４で連通口１１ａに均一に空気を送り込むことが困難となるおそれがある。このため、必要に応じて複数の送風機構８を設置することもできる。この場合、各送風機１４によって送出される風同士の干渉に起因する乱流の発生を回避するために、１つの送風機１４毎に一対の仕切板１８，１８を設け、各送風機１４によって送出される空気を個別的に整流する構成を採用するのが効果的となる。また、２つの棚板６を用いて第１収納部９を３つの副収納部９ａに分割した構成に限らず、３つ以上の棚板６を用いて４つ以上の副収納部９ａに分割してもよいし、棚板６を使用せずに第１収納部９を分割しない構成を採用することもできる。
【００２３】
【発明の効果】
以上のように、請求項１記載の保管庫によれば、チャンバー効果を利用せずに、空間部内において空気の送り込み方向に平行状態で並設されて送風機構によって送り込まれた空気を整流する複数の第１整流板を備えたことにより、空間部内に大量の空気を一時に供給することができると共に各吹出口の開口面積も大きくすることができ、結果として、各吹出口から収納部への空気の供給流量を増加させることができる。また、第１整流板によって空間部内の圧力分布や流速分布を安定的に一定状態に維持することができるため、連通口からの距離に拘わらず、いずれの吹出口における吹出量もほぼ同量に均一化することができる。したがって、収納部の内部全体に亘って空気を送り込むことができる結果、収納部の内部を脱臭できると共に収納部の内部に収納された被保管物を効率よく乾燥させることができる。
【００２４】
また、請求項２記載の保管庫によれば、誘導路、複数の拡散板および複数の第２整流板によって送風機構を構成したことにより、送風機によって送出された空気の流速が速い状態であっても拡散板によって強制的に誘導路の幅方向全体に亘って空気を拡散させ、さらに整流された空気同士を誘導路の中間領域の非整流領域において干渉させることで拡散状態を一層促進させることができる。また、第２整流板によって、均一に拡散された空気の流れ方向を連通口に対して直交する方向に整流して空間部内に空気を供給することができる。
【００２５】
また、請求項３記載の保管庫によれば、空気の送り込み方向に直交する方向に沿って分割された複数の副収納部を備えて収納部を構成し、かつ各収納部における各吹出口の上流側に第１整流板をそれぞれ配置したことにより、各副収納部の吹出口において、その全域に亘って空気の流速を均一化することができるため、各副収納部内に空気をほぼ均一に吹き出させることができる。したがって、使い勝手の良い保管庫を実現することができる。
【００２６】
また、請求項４記載の保管庫によれば、吹出口における収納部側の口縁にルーバーを配設したことにより、吹出口から収納部に送出する空気の送出方向を任意に設定することができる。
【図面の簡単な説明】
【図１】本発明の実施の形態に係る保管庫１の構成を説明するための説明図である。
【図２】送風機構８の構成を示す平面図である。
【図３】保管庫１の内部構造を説明するための図２におけるＡ−Ａ線断面図である。
【図４】保管庫１の内部構造を説明するための図２におけるＢ−Ｂ線断面図である。
【図５】吹出口１２に設けるルーバーの構造図である。
【図６】保管庫１における吹出口１２の平面形状を示す平面図である。
【図７】他の構造例に係る吹出口３２の平面形状を示す平面図である。
【図８】さらに他の構造例に係る吹出口４２の平面形状を示す平面図である。
【符号の説明】
１  保管庫
２  筐体
２ａ  後壁
２ｅ  前壁
３  扉
４  第１区画壁
７  第１整流板
８  送風機構
９  第１収納部
９ａ  副収納部
１１  空間部
１１ａ  連通口
１２  吹出口
１２ａ  ルーバー
１４  送風機
１５  誘導路
１６  拡散板
１７  第２整流板
【図１】
0004576061.tif 000002
【図２】
0004576061.tif 000003
【図３】
0004576061.tif 000004
【図４】
0004576061.tif 000005
【図５】
0004576061.tif 000006
【図６】
0004576061.tif 000007
【図７】
0004576061.tif 000008
【図８】
0004576061.tif 000009